(57)【要約】      （修正有）【課題】長尺ボルトに対して短時間で所望の位置に固定して、作業の効率化を図ることができる吊り金具を提供する。【解決手段】長尺ボルト１２２に対してハンガー１１０が固定される吊り金具１００であって、長尺ボルトが貫通する貫通穴１４２を備えて、長尺ボルトに沿って円滑に移動可能な貫通穴付きボルト１４０と、長尺ボルトに螺合する第１の内ネジ１３２と、貫通穴付きボルトに螺合する第２の内ネジ１３４を有する異径ナット１３０とを備えており、貫通穴付きボルトを異径ナットに螺合することにより、長尺ボルトにハンガーを位置決めして固定する。ハンガーは、吊り金具を吊り下げるためのフック１１２と、貫通穴付きボルトと異径ナットに挟まれる固定片１１４とを備える。【選択図】図１
0003215022.tif 000002
【実用新案登録請求の範囲】
【請求項１】
長尺ボルトに対してハンガーが固定される吊り金具であって、
前記長尺ボルトが貫通する貫通穴を備えており、長尺ボルトに沿って円滑に移動可能な貫通穴付きボルトと、
前記長尺ボルトに螺合する第１の内ネジと、前記貫通穴付きボルトに螺合する第２の内ネジを有する異径ナットとを備えており、
前記貫通穴付きボルトを前記異径ナットに螺合することにより、前記長尺ボルトに前記ハンガーを位置決めして固定することを特徴とする吊り金具。
【請求項２】
前記ハンガーが、吊り金具を吊り下げるためのフックと、前記貫通穴付きボルトと前記異径ナットに挟まれる固定片とを備えたことを特徴とする請求項１記載の吊り金具。
【請求項３】
前記長尺ボルトの下端に、該長尺ボルトに螺合して対象物を固定するためのナットを備えたことを特徴とする請求項１又は２記載の吊り金具。
【考案の詳細な説明】
【技術分野】
【０００１】
本考案は吊り金具に関し、特に長尺のボルトを使用する吊り金具の改良に関するものである。
【背景技術】
【０００２】
長尺ボルトに対して金具を取り付ける場合、一般的には、金具をナットで挟んで固定しており、金具を挟んでいるナットをそれぞれ回転させる。例えば、下記特許文献１においては、結合部材によって梁部材に対する固定が行われるが、梁部材を挟むナットの双方を回転させるようにする。
【０００３】
図１(B)には、背景技術の一例が示されておいる。この例は、天井１０から延設したチャネル１２に金具２０が引っ掛けられており、この金具２０にナット２２，２４によって長尺ボルト２６が固定されている。長尺ボルト２６の下端には、照明器具などの対象物３０が吊り下げされており、ナット３２，３４によって長尺ボルト２６の下端に固定されている。
【０００４】
この場合において、長尺ボルト２６の上端側からナット２２を回して所定位置とし、一方、長尺ボルト２６の下端側からナット２４を回して上昇させ、金具２０を挟むようにする。長尺ボルト２６におけるナット２２，２４が金具２０を挟む位置を変更することで、対象物３０の天井１０からの吊り下げ位置を変更することができる。
【先行技術文献】
【特許文献】
【０００５】
【特許文献１】実開平７−６３２０号公報
【考案の概要】
【考案が解決しようとする課題】
【０００６】
上述した背景技術では、作業者は、天井方向を向いて作業を行うが、長尺ボルト２６に対してナット２４を回転して所望の位置に持っていくためには、天井を向く仰向けの状態が続くことになり、作業性が悪く、疲労が溜まるようになる。
【０００７】
本考案は、以上のような点に着目したもので、その目的は、長尺ボルトに対して短時間で金具を所望の位置に固定して、作業の効率化を図ることである。
【課題を解決するための手段】
【０００８】
本考案は、長尺ボルトに対してハンガーが固定される吊り金具であって、前記長尺ボルトが貫通する貫通穴を備えており、長尺ボルトに沿って円滑に移動可能な貫通穴付きボルトと、前記長尺ボルトに螺合する第１の内ネジと、前記貫通穴付きボルトに螺合する第２の内ネジを有する異径ナットとを備えており、前記貫通穴付きボルトを前記異径ナットに螺合することにより、前記長尺ボルトに前記ハンガーを位置決めして固定することを特徴とする。
【０００９】
主要な形態の一つによれば、前記ハンガーが、吊り金具を吊り下げるためのフックと、前記貫通穴付きボルトと前記異径ナットに挟まれる固定片とを備えたことを特徴とする。他の形態によれば、前記長尺ボルトの下端に、該長尺ボルトに螺合して対象物を固定するためのナットを備えたことを特徴とする。本考案の前記及び他の目的，特徴，利点は、以下の詳細な説明及び添付図面から明瞭になろう。
【考案の効果】
【００１０】
本考案によれば、異径ナットと貫通穴付きボルトを組み合わせることとしたので、長尺ボルトに対して短時間で金具を所望の位置に固定することができ、作業の効率化を図ることができる。
【図面の簡単な説明】
【００１１】
【図１】(A)は本考案の一実施例の吊り金具の構造を示す図であり、(B)は背景技術を示す図である。
【考案を実施するための形態】
【００１２】
以下、本考案を実施するための最良の形態を、実施例に基づいて詳細に説明する。
【実施例１】
【００１３】
図１は、本考案の一例が示されており、吊り金具１００は、ハンガー１１０と、ボルトナット機構１２０とによって構成されている。ハンガー１１０は、一端が鉤状に折り曲げられており、天井１０から延設されているチャネル１２に引っ掛けられるフック１１２と、他端が略Ｌ字状に折り曲げられており、ボルトナット機構１２０に固定される固定片１１４を備えている。ボルトナット機構１２０は、前記ハンガー１１０の固定片１１４を貫通する長尺ボルト１２２と、上側から長尺ボルト１２２に螺合する異径ナット１３０と、下側から長尺ボルト１２２に螺合する貫通穴付きボルト１４０とを備えている。長尺ボルト１２２の下端には照明器具などの対象物３０がナット３２，３４によって固定されている。
【００１４】
以上の各部のうち、異径ナット１３０は、長尺ボルト１２２と螺合する第１の内ネジ１３２と、前記貫通穴付きボルト１４０と螺合する第２の内ネジ１３４を備えており、第２の内ネジ１３４の内径は、長尺ボルト１２２ないし第１の内ネジ１３２の内径よりも大きく設定されている。一方、貫通穴付きボルト１４０は、長尺ボルト１２２の外径よりも大きい内径の貫通穴１４２を備えており、長尺ボルト１２２が貫通穴１４２を円滑に移動できるようになっている。貫通穴付きボルト１４０の外側には、外ネジ１４４が形成されており、この外ネジ１４４は、上述した異径ナット１３０の第２の内ネジ１３４と螺合するようになっている。
【００１５】
次に、本実施例の作用を説明する。作業者は、まず、ハンガー１１０のフック１１２をチャネル１２に引っ掛ける。次に、ハンガー１１０の固定片１１４を貫通する長尺ボルト１２２の異径ナット１３０を回転し、長尺ボルト１２２の位置決めを行う。なお、予め長尺ボルト１２２に対する固定片１１４の位置が分かっているときは、異径ナット１３０を該当する位置に設定しておいてから、ハンガー１１０のフック１１２をチャネル１２に引っ掛けるようにしてもよい。
【００１６】
次に、作業者は、貫通穴付きボルト１４０を、長尺ボルト１２２の上方にずらし、外ネジ１４４を、異径ナット１３０の第２の内ネジ１３４に螺合させる。このとき、本実施例によれば、貫通穴付きボルト１４０の貫通穴１４２内を長尺ボルト１２２が貫通しているため、貫通穴付きボルト１４０を上方にずらす作業は速やかに行うことができる。異径ナット１３０に貫通穴付きボルト１４０を螺合して締め付けることで、ハンガー１１０の固定片１１４が異径ナット１３０と貫通穴付きボルト１４０とによって挟まれ、固定されるようになる。その後、作業者は、以上のようにして固定された長尺ボルト１２２の下端に、ナット３２，３４を利用して照明器具などの対象物を吊り下げて固定する。
【００１７】
以上のように、本実施例によれば、異径ナット１３０と貫通穴付きボルト１４０を組み合わせることとしたので、長尺ボルト２６に対するハンガー１１０の固定を短時間で行うことができる。作業の効率化を図ることができる。
【００１８】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。特に、ハンガー１１０の形状は、各種のものが公知である。
(2)図に示した使い方の他に、ハンガー１１０の向きを上下逆にした使い方，あるいは横向きにした使い方も可能である。異径ナット１３０と、貫通穴付きボルト１４０の向きも同様である。
(3)前記実施例では、ハンガー１１０をチャネル１２に引っ掛けたが、引っ掛ける対象は任意であり、各種のもの引っ掛けてよい。
(4)前記長尺ボルトの一端が天井に埋め込まれているナットに螺合しているような場合でも、本考案は適用可能である。
(5)必要に応じて、座金，ばね座金を、ハンガー１１０の固定片１１４，異径ナット１３０，貫通穴付きボルト１４０の間に設けるようにしてよい。
【産業上の利用可能性】
【００１９】
本考案によれば、長尺ボルトに対して短時間で金具を所望の位置に固定することができ、作業の効率化を図ることができるので、天井に対する吊り金具の固定などに好適である。
【符号の説明】
【００２０】
１０：天井
１２：チャネル
２０：金具
２２，２４：ナット
２６：長尺ボルト
３０：対象物
３２，３４：ナット
１００：吊り金具
１１０：ハンガー
１１２：フック
１１４：固定片
１２０：ボルトナット機構
１２２：長尺ボルト
１３０：異径ナット
１３２：内ネジ
１３４：内ネジ
１４０：貫通穴付きボルト
１４２：貫通穴
１４４：外ネジ
【図１】
0003215022.tif 000003